(57)【要約】【課題】安全性及び機能性共に高く、トレーに対して簡単に着脱が出来るケーキ用係止具の係止構造を提供する。【解決手段】ケーキを載置する持ち運び用トレーの略中央に設けて前記ケーキを係止する、基板上に爪を有するプラスチック製のケーキ用係止具において、当該ケーキ用係止具Ａの基板１の裏面に、水平にした一定厚のリング３を突設し、当該リング３の下端部近くの外周に突起４を設け、前記トレーＢの略中央に設けた貫通孔６に、前記ケーキ用係止具Ａのリング３を嵌合して前記突起４で係止して当該トレーＢにケーキ用係止具Ａを取り付けた。【選択図】図５
0003154552.tif 000002
【実用新案登録請求の範囲】
【請求項１】
ケーキを載置する持ち運び用トレーの略中央に設けて前記ケーキを係止する、基板上に爪を有するプラスチック製のケーキ用係止具において、
当該ケーキ用係止具の基板の裏面に、水平にした一定厚のリングを突設し、当該リングの下端部近くの外周に突起を設け、
前記トレーの略中央に設けた貫通孔に、前記ケーキ用係止具のリングを嵌合して前記突起で係止して当該トレーにケーキ用係止具を取り付けたことを特徴とする、トレーのケーキ用係止具の係止構造。
【請求項２】
前記リングを複数に分断したことを特徴とする、前記請求項１に記載のトレーのケーキ用係止具の係止構造。
【考案の詳細な説明】
【技術分野】
【０００１】
この考案は、洋菓子店等において、ケーキを載置するトレーのケーキ用係止具に関するものであって、特に、当該トレーとケーキ用係止具の係止構造に関するものである。
【背景技術】
【０００２】
従来、洋菓子店において、デコレーションケーキを購入して持ち帰るには、プラスチック製、アルミ製又は紙製のトレーの上にデコレーションケーキを載置し、いわゆるデコケースに入れて持ち帰ると言うことが一般的に行われている。この様な、トレーでは、持ち運び中にデコケースが傾いたりした場合、当該デコレーションケーキがトレー上を滑ってデコケースの内側に接触すると言うことが有る。
【０００３】
この様に、持ち帰る途中において、デコレーションケーキがデコケースの内側に接触した場合、当然、デコレーションケーキの形状が崩れることになるが、家に帰り、デコケースを開けた時、中のデコレーションケーキが崩れていたりすると如何にも興覚めであり、落胆する。
【０００４】
この様な事態の招来を防ぐものとして、前記トレーの上面の中央に金属製の各種のツメを備えたケーキ用係止具を取り付け、デコレーションケーキをこの係止部で係止して、例え、デコケースが傾いたとしても容易に動かないようにしている。
【特許文献１】特開平１１−１５７５４４号公報
【考案の開示】
【考案が解決しようとする課題】
【０００５】
しかしながら、この様な先端が尖った金属製のケーキ止め具では、けがをするおそれがあり、安全性、また、衛生面の問題がある。また、使用後の分別処理が面倒でもあり、さらには、金属探知器に反応すると言った問題が存在している。
【０００６】
この考案は、この様な状況に鑑みて行われたもので、安全性及び機能性共に高く、トレーに対して簡単に着脱が出来るケーキ用係止具の係止構造を提供して前記課題を解決するものである。
【課題を解決するための手段】
【０００７】
請求項１の考案は、ケーキを載置する持ち運び用トレーの略中央に設けて前記ケーキを係止する、基板上に爪を有するプラスチック製のケーキ用係止具において、当該ケーキ用係止具の基板の裏面に、水平にした一定厚のリングを突設し、当該リングの下端部近くの外周に突起を設け、前記トレーの略中央に設けた貫通孔に、前記ケーキ用係止具のリングを嵌合して前記突起で係止して当該トレーにケーキ用係止具を取り付けたトレーのケーキ用係止具の係止構造とした。
【０００８】
請求項２の考案は、前記リングを複数に分断した前記請求項１に記載のトレーのケーキ用係止具の係止構造とした。
【考案の効果】
【０００９】
請求項１の考案によれば、ケーキ用係止具の基板の裏面に、水平にした一定厚のリングを突設し、当該リングの下端部近くの外周に突起を設けたので、ケーキを載置する持ち運び用トレーの略中央に設けた貫通孔に、このリングをあてがい押し込むだけで、簡単かつ確実にトレーを取り付けることが出来、また、一旦トレーに取り付けられた後は、簡単に取り外すことが出来ない。また、プラスチック製であり、安全面や衛生面でも問題は無い。
【００１０】
請求項２の考案によれば、前記リングを複数に分断したので、前記請求項１の考案のものより、リング及び突起が柔軟性を有し、トレーの貫通孔に取り付け易く、一旦取り付けられれば、簡単に取り外すことが出来ない。よって、使い勝手の良いものである。
【考案を実施するための最良の形態】
【００１１】
ケーキを載置する持ち運び用トレーの略中央に設けて前記ケーキを係止する、基板上に爪を有するプラスチック製のケーキ用係止具において、当該ケーキ用係止具の基板の裏面に、水平にした一定厚のリングを突設し、当該リングの下端部近くの外周に突起を設け、ケーキを載置する持ち運び用トレーの略中央に設けた貫通孔に、前記ケーキ用係止具のリングを嵌合して前記突起で係止して当該トレーにケーキ用係止具を取り付けた。
【００１２】
これにより、簡単かつ確実にトレーを取り付けることが出来、また、一旦トレーに取り付けられた後は、簡単に取り外すことが出来ない。
【実施例１】
【００１３】
以下、この考案の実施例１を図に基づいて説明する。
図１は、この考案の実施例１のケーキ用係止具Ａの正面図である。図２は、この考案の実施例１のケーキ用係止具Ａの底面図である。図３は、この考案の実施例１のケーキ用係止具Ａの斜視図である。図４は、この考案の実施例１のケーキ用係止具Ａの裏面斜視図である。図５は、この考案の実施例１のケーキ用係止具をトレーに取り付けた状態の断面図である。図６は、この考案の実施例１のケーキ用係止具ＡをトレーＢに取り付けた状態の平面図である。
【００１４】
この実施例１のケーキ用係止具Ａは、図１、２、３及び４に示すように、プラスチック製で、略三角形状の基板１の三方の突部（角部）上に夫々三角形状の爪２を立設し、当該基板１の裏面の中央部に、図１、４及び５に示すように、水平にした一定厚のリング３を突設し、当該リング３の下端部近くの外周に突起４を設け、さらに、このリング３を６個に等間隔で分断したものから成る。
【００１５】
このケーキ用係止具Ａを、図６に示すように、ケーキを載置する円形状のトレーＢに取り付ける。このトレーＢの中央部に予め設けた円形状の貫通孔６に、前記ケーキ用係止具１の裏面のリング３をあてがい押しこむだけで、簡単に、このケーキ用係止具１をトレーＢに取り付けることができる。
【００１６】
また、ケーキ用係止具ＡをトレーＢの貫通孔６に取り付けた後は、このケーキ用係止具Ａのリング３の外周の突起４が係止されて、トレーＢの貫通孔６から、容易には当該貫通孔６から抜けないようになっている。このケーキ用係止具Ａを外すときは、６個に分断されたものの各突起４を夫々貫通孔６の内側に押して、リング３を貫通孔６内から外せば、トレーＢから取り外すことが出来る。
【００１７】
そして、このトレーＢのケーキ用係止具Ａの上にケーキを載置すれば（図示省略）、三本の爪２がケーキに刺さり、このケーキを係止してデコケース（図示省略）が多少傾斜しても、ケーキは簡単に移動することはない。
【００１８】
前記実施例では、リング３を、６個に等間隔で分断しているが、必ずしも分断しなくても良く、また、分断する数は６個に限定するものでは無く、適切な数量で良い。また、ケーキ用係止具Ａを、略三角形状の基板１の三方の突部に夫々三角形状の爪２を立設したものから設けたが、ケーキ用係止具Ａの形状としては、これに限らず、基板１上に爪２を立設したものであるならば、どの様な形状でも良い。
【００１９】
また、このケーキ用係止具Ａを取り付けるトレーＢについても、当該ケーキ用係止具Ａを取り付ける貫通孔を設けているものであるならば、その形状はどの様なものでも良い。
【図面の簡単な説明】
【００２０】
【図１】この考案の実施例１のケーキ用係止具の正面図である。
【図２】この考案の実施例１のケーキ用係止具の底面図である。
【図３】この考案の実施例１のケーキ用係止具の斜視図である。
【図４】この考案の実施例１のケーキ用係止具の裏面斜視図である。
【図５】この考案の実施例１のケーキ用係止具をトレーに取り付けた状態の断面図である。
【図６】この考案の実施例１のケーキ用係止具をトレーに取り付けた状態の平面図である。
【符号の説明】
【００２１】
Ａ    ケーキ用係止具    Ｂ    トレー
１    基板              ２    爪                ３    リング
４    突起              ６    貫通孔
【図１】
0003154552.tif 000003
【図２】
0003154552.tif 000004
【図３】
0003154552.tif 000005
【図４】
0003154552.tif 000006
【図５】
0003154552.tif 000007
【図６】
0003154552.tif 000008